(57)【要約】【課題】カバーを取り付けるための部位をフレームに確保することが困難な場合においても、フレームへのカバーの装着を可能にしたカバー構造を有する光ピックアップ装置を提供する。【解決手段】対物レンズ駆動装置４と光学要素３とそれらを収容すると共にその光学要素３を位置決め固定するフレーム２とを有する光ピックアップ装置１において、そのフレーム２には、対物レンズ駆動装置４および光学要素３の一方又は両方を覆う少なくとも２つ以上のカバー３１，３２が装着され、その２つ以上のカバー３１，３２を互いに有するフック機構により係合したことにより、上記課題を解決した。【選択図】    図３
2005011396.tif 000002
【特許請求の範囲】
【請求項１】
対物レンズ駆動装置と、光学要素と、それらを収容すると共に当該光学要素を位置決め固定するフレームとを有する光ピックアップ装置において、
前記フレームには、対物レンズ駆動装置および光学要素の一方又は両方を覆う少なくとも２つ以上のカバーが装着され、当該２つ以上のカバーが、互いに有するフック機構により係合していることを特徴とする光ピックアップ装置。
【請求項２】
前記カバーが、対物レンズ駆動装置をフレームの下面側から覆う下面カバーおよび対物レンズ駆動装置をフレームの上面側から覆う上面カバーであり、前記フック機構が、前記下面カバーおよび上面カバーそれぞれの側面部に形成されていることを特徴とする請求項１に記載の光ピックアップ装置。
【請求項３】
前記カバーが、対物レンズ駆動装置を収容したフレームの上面、側面および下面を連続して覆うための２つのコ字状カバーであることを特徴とする請求項１に記載の光ピックアップ装置。
【請求項４】
前記カバーが、対物レンズ駆動装置の一方の面を覆うカバーおよび当該カバーと同一面に設けられて光学要素を覆うカバーであることを特徴とする請求項１〜３のいずれか１項に記載の光ピックアップ装置。
【請求項５】
前記カバーは、その係合部とフレームの固定部との間のカバー面がフレーム内方に付勢するように成形されていることを特徴とする請求項１〜４のいずれか１項に記載の光ピックアップ装置。
【請求項６】
前記２つ以上のカバーの少なくとも１つのカバーには、カバーをフレームに装着する際の旋回を阻止する係止部が形成されていることを特徴とする請求項１〜５のいずれか１項に記載の光ピックアップ装置。
【発明の詳細な説明】
【０００１】
【発明の属する技術分野】
本発明は、ＣＤ（コンパクトディスク）やＤＶＤ（ディジタルビデオディスク／ディジタルバーサタイルディスク）等の光記録ディスクの記録・再生に用いられる光ピックアップ装置に関し、さらに詳しくは、対物レンズ駆動装置および光学要素を収容するフレームに装着される、光ピックアップ装置のカバー構造に関するものである。
【０００２】
【従来の技術】
ＣＤやＤＶＤ等の光記録ディスクの記録・再生に用いられる光ピックアップ装置は、アルミニウムなどの金属製のフレームと、そのフレーム内に収容された光学要素および対物レンズ駆動装置とを有している。こうした光ピックアップ装置においては、光記録ディスクの記録・再生装置が例えば薄型のノートパソコン等に搭載されることから、その小型化と薄型化が要求されている。
【０００３】
光ピックアップ装置の小型化・薄型化の要請に対応するためには、フレーム内に収容されている光学要素および対物レンズ駆動装置の配置変更のみならず、フレーム自体の構造を変更する必要があり、例えば、各部材を収容載置するために一体成型されてなるフレーム下面またはフレーム上面をできる限り少なくし、その代わりとして、薄板からなる下面カバーまたは上面カバーをフレームにネジ止めしたり、カバーに設けられた爪部で引っ掛け（「掛止」ともいう。）ることが行われていた。
【０００４】
なお、カバーをフレームに装着することが記載された文献として、下記特許文献１には、光ピックアップ装置においてフレームにカバーがネジ止め等により装着されている例が記載され、下記特許文献２には、爪部を有するカバーで光学要素を固定した例が記載されている。
【０００５】
【特許文献１】
特開２００２−３３４４６６号公報（図１、段落番号００２３〜００２５）
【特許文献２】
実登３０５２８８６号公報（図３）
【０００６】
【発明が解決しようとする課題】
しかしながら、光ピックアップ装置の小型化・薄型化がより一層要請されると、上述した下面カバーや上面カバーのネジ止め部位や掛止部位をフレームに確保し難くなり、そうした部位の確保がフレーム構造を大きくし、光ピックアップ装置の小型化や薄型化を達成できないという問題があった。特に、下面カバーや上面カバーを複数必要とする光ピックアップ装置においては、それらをフレームに取り付けるための部位を確保することがより困難になり、光ピックアップ装置の小型化や薄型化を妨げていた。
【０００７】
本発明は、上記問題を解決するためになされたものであって、その目的は、カバーを取り付けるための部位をフレームに確保することが困難な場合においても、フレームへの複数のカバーの装着を可能にしたカバー構造を有する光ピックアップ装置を提供することにある。
【０００８】
【課題を解決するための手段】
上記課題を解決するための本発明の光ピックアップ装置は、対物レンズ駆動装置と光学要素とそれらを収容すると共にその光学要素を位置決め固定するフレームとを有する光ピックアップ装置において、前記フレームには、対物レンズ駆動装置および光学要素の一方又は両方を覆う少なくとも２つ以上のカバーが装着され、当該２つ以上のカバーが、互いに有するフック機構により係合していることを特徴とする。
【０００９】
この発明によれば、対物レンズ駆動装置および光学要素の一方又は両方を覆う少なくとも２つ以上のカバーが、互いに有するフック機構により係合してフレームに装着されているので、少なくともその係合部分においては、ネジ止め部位や掛止部位を省いたフレーム構造とすることができる。その結果、フレーム構造をより小さくより薄くすることができ、光ピックアップ装置の小型化と薄型化を達成することができる。
【００１０】
本発明の光ピックアップ装置において、前記カバーが、対物レンズ駆動装置をフレームの下面側から覆う下面カバーおよび対物レンズ駆動装置をフレームの上面側から覆う上面カバーであり、前記フック機構が、前記下面カバーおよび上面カバーそれぞれの側面部に形成されていることを特徴とする。
【００１１】
この発明は、対物レンズ駆動装置をフレームの下面側から覆う下面カバーと対物レンズ駆動装置をフレームの上面側から覆う上面カバーとが、両カバーそれぞれの側面部に形成されたフック機構で係合された態様である。これにより、少なくともその係合部分においては、ネジ止め部位や掛止部位を省いたフレーム構造とすることができる。
【００１２】
本発明の光ピックアップ装置において、前記カバーが、対物レンズ駆動装置を収容したフレームの上面、側面および下面を連続して覆うための２つのコ字状カバーであることを特徴とする。
【００１３】
この発明は、フレームの上面、側面および下面を連続して覆う２つのコ字状カバーがフック機構で係合された態様である。これにより、少なくともその係合部分においては、ネジ止め部位や掛止部位を省くことができる。
【００１４】
本発明の光ピックアップ装置において、前記カバーが、対物レンズ駆動装置の一方の面を覆うカバーおよび当該カバーと同一面に設けられて光学要素を覆うカバーであることを特徴とする。
【００１５】
この発明は、対物レンズ駆動装置の一方の面を覆うカバーと、そのカバーと同一面に設けられて光学要素を覆うカバーとがフック機構で係合された態様である。これにより、少なくともその係合部分においては、ネジ止め部位や掛止部位を省くことができる。
【００１６】
本発明の光ピックアップ装置において、前記カバーは、その係合部とフレームの固定部との間のカバー面がフレーム内方に付勢するように成形されていることが好ましい。
【００１７】
この発明によれば、カバーの係合部とフレームの固定部との間のカバー面がフレーム内方に付勢するように成形されているので、フレームに収容された部材、例えばＦＰＣ（フレキシブルプリント回路）等の部材をフレーム内にしっかりと拘束して浮きを防止することができる。
【００１８】
本発明の光ピックアップ装置において、前記２つ以上のカバーの少なくとも１つのカバーには、カバーをフレームに装着する際の旋回を阻止する係止部が形成されていることが好ましい。
【００１９】
この発明によれば、カバーをネジ止め等によりフレームに装着する際におけるカバーの旋回を防ぐことができる。
【００２０】
【発明の実施の形態】
以下に、図面を参照して、本発明の光ピックアップ装置を説明する。
【００２１】
（全体構成）
図１は、本発明の光ピックアップ装置の光学系を示す概略構成図であり、図２は、本発明の光ピックアップ装置の外観を示す斜視図である。
【００２２】
本発明の光ピックアップ装置１は、ＣＤまたはＤＶＤなどの光記録ディスク５に対する情報記録と情報再生を行うものであり、対物レンズ駆動装置４と光学要素３とそれらを収容すると共にその光学要素３を位置決め固定するフレーム２とを有している。
【００２３】
対物レンズ駆動装置４は、レーザー光源であるレーザーダイオード１６からの出射光を光記録ディスク５に収束させる対物レンズ７を、フォーカシング方向（フォーカシングエラー補正方向）およびトラッキング方向（トラッキングエラー補正方向）に駆動制御させるための装置であり、トラッキング駆動用コイルとフォーカシング駆動用コイルを備え、さらにトラッキング用駆動マグネットとフォーカシング用駆動マグネットを備えている。
【００２４】
本願において、光学要素３とは、レーザーダイオード１６、ビームスプリッター１７、レンズ１８および反射ミラー１９等を有するものとして総称している。なお、光記録ディスク５で反射した戻り光を受光する光検知器（図示しない）もその光学要素に含まれる。こうした光学要素は、例えば接着剤等によりフレームに精度よく位置決め固定されている。
【００２５】
フレーム２は、対物レンズ駆動装置４とほぼ同じ厚さで水平方向に延びるアルミダイキャスト製品である。その内側は、概ね上述した光学要素３を収容する取付領域と、対物レンズ駆動装置４を収容する取付領域とに分けられる。フレーム２の両端部には、丸穴からなる主軸ガイド穴１１と、コ字状に突き出した副軸ガイド溝１２とが形成されている。光ピックアップ装置１は、これらの主軸ガイド穴１１および副軸ガイド溝１２の各々に通された記録再生装置本体側の主軸および副軸（図示せず）に沿って、光記録ディスク５の半径方向に移動制御される。
【００２６】
フレーム２内には、対物レンズ駆動装置４および光学要素３が収容されるほか、例えば図３に示すように、その対物レンズ駆動装置４および光学要素３に給電するためのフレキシブルプリント基板６が収容される。
【００２７】
フレーム２は、光記録ディスク側（以下、上面側または上側という。）の上面部分１３と、その上面部分１３の外周縁部から、光記録ディスクとは反対側（以下、下面側または下側という。）の下面部分１４に直角に延びている外周壁部分１５とを備えている。こうしたフレーム２は、上面側と下面側の一方又は両方に開口部を有し、対物レンズ駆動装置４および光学要素３は、その開口部（上面側開口部、下面側開口部）から収容され、必要に応じて接着剤等によりフレームに固定される。特に最近の光ピックアップ装置１は小型化・薄型化が要請されているので、このフレーム２においても、できる限り体積を減らした構造、例えば壁面の厚さを薄くしたり、外周壁部分１５の高さを薄くしたり、上面部分１３や下面部分１４の外周縁部を一部省略した構造とする傾向がある。例えば、図１に示す光ピックアップ装置１においては、フレーム２の上面側には上面側開口部が形成され、フレームの下面側には下面側開口部が形成されている。こうした光ピックアップ装置においては、後述するカバーをネジ止めしたり掛止したりする部分を十分に確保することができないという実情が潜在している。
【００２８】
（カバー）
次に、フレーム２に装着されるカバーについて説明する。
【００２９】
本発明の光ピックアップ装置１において、フレーム２には、対物レンズ駆動装置４および光学要素３の一方又は両方を覆う少なくとも２つ以上のカバーが装着され、その２つ以上のカバーが、互いに有するフック機構により係合している。本発明の光ピックアップ装置１においては、フレーム内に収容された各種の部品のうち、少なくとも対物レンズ駆動装置４を保護するためのカバーが取り付けられている。そのカバーは、全体が板ばねとして機能するような金属製の薄板を成形することにより製造される。
【００３０】
図３は、本発明の光ピックアップ装置を構成する第１態様に係るカバーの取付構造を説明するための分解斜視図である。図４は、図３のカバーの取付構造における下面カバーの形状説明図（ａ，ｂ）およびフック機構の拡大図（ｃ）であり、図５は、図３のカバーの取付構造における上面カバーの形状説明図（ａ，ｂ）およびフック機構の拡大図（ｃ，ｄ）である。
【００３１】
第１態様に係るカバーの取付構造は、図３に示すように、対物レンズ駆動装置４をフレーム２の下面側から覆う下面カバー３１と、対物レンズ駆動装置４をフレーム２の上面側から覆う上面カバー３２とからなるものである。下面カバー３１および上面カバー３２それぞれの側面部３３，３４には、両カバー３１，３２を係合するためのフック機構が形成されている。そして、両カバーは、そのフック機構により相互に係合してフレーム２に装着され、従来のようなネジ止めを行わなくてもフレーム２に固定することができる。また、両カバーをフレームに固定する際にネジ止めを必要とする場合であっても、そのネジ２８，２９の止め個数を極端に少なくして固定することができる。なお、側面部３３，３４は、フレーム２の下面または上面を覆う各カバー３１，３２の平面部３５，３６から直角に延びたものであり、フレーム２の側面を覆うように形成されている。
【００３２】
フック機構としては、下面カバー３１と上面カバー３２とを係合させることができる機構であれば特に限定されないが、例えば、図３に示すように、下面カバー３１の側面部３３に形成された水平方向に延びる長穴３７と、上面カバー３２の側面部３４からフレーム内側方向に折り曲げ成形された突起３８とが係合するフック機構を例示できる。
【００３３】
下面カバー３１が備えるフック機構は、上面カバー３２が備えるフック機構と協働して機能することが必要であり、そのフック機構は限定されないが、例えば図４に示すように、上面カバー３２が備える突起３８に係合可能な長さと幅で形成された長穴３７を挙げることができる。また、下面カバー３１には、上面カバー３２と協働して機能するフック機構が複数設けられていることが望ましく、例えば図４に示す下面カバー３１においては、長穴３７が側面部３３の２カ所に設けられている。
【００３４】
また、下面カバー３１の側面部３３および平面部３５には、下面カバー３１をフレームに引っ掛けて保持するための突起３９，４１がフレーム内側方向に折り曲げ成形されていてもよい。こうした突起３９，４１は、フレーム２への下面カバー３１の装着作業を容易にさせる。また、下面カバー３１の平面部３５には、下面カバー３１をフレーム２に装着する際の旋回を阻止するための突起４２を係止部として設けてもよい。例えば、下面カバー３１が平面部３５に形成されたネジ穴４３を利用してフレーム２にネジ止め固定される場合において、係止部を備えた下面カバー３１は、ネジ止め時の旋回負荷応力に抗することができるので、フレーム２への下面カバー装着時の位置ズレを防止することができる。また、そうした突起は、下面カバー３１の位置決めを行う機能を有するものであってもよい。なお、下面カバー３１の平面部３５には、フレーム２に収容される部品等の関係により、必要に応じて１又は２以上の貫通部４４を設けてもよい。
【００３５】
上面カバー３２が備えるフック機構においても、下面カバー３１が備えるフック機構と協働して機能することが必要であり、そのフック機構は特に限定されないが、例えば図５に示すように、下面カバー３１が備える長穴３７（図４を参照）に係合可能な長さと幅で形成された突起３８を挙げることができる。また、上面カバー３２には、下面カバー３１と協働して機能するフック機構が複数設けられていることが望ましく、例えば図５に示す上面カバー３２においては、突起３８が側面部３４の２カ所に設けられている。また、図５（ｃ）（ｄ）に示すように、突起３８の先端形状については特に限定されず、略四角形状でも略三角形状でもよく、また、個々の突起ごとにその形状が違っていてもよい。
【００３６】
上面カバー３２の側面部３４には、図５に示すように、突起３８が形成された部位の左右両側に所定幅の切り込み５１，５２を設けてもよい。こうした切り込み５１，５２を形成することにより、突起３８を下面カバー３１の長穴３７に引っ掛けて係合する際における上面カバー側面部３４の弾性変形が、突起部を形成した領域のみで起こるので、その弾性変形に関わる負荷応力がカバー全体に及ぶのを防ぐことができる。
【００３７】
また、上面カバー３２の側面部３４および平面部３６には、上述した下面カバー３１の場合と同様に、上面カバー３２をフレームに引っ掛けて保持または係止するための突起５３，５４，５５、５６がフレーム内側方向またはフレーム外側方向に折り曲げ形成されていてもよい。こうした突起５３，５４，５５，５６は、フレーム２への上面カバー３２の装着作業を容易にさせる。また、そうした突起は、上面カバー３２をフレーム２に装着する際の旋回を阻止する係止部としての機能を併せ持たせるようにしてもよい。例えば、上面カバー３２が平面部３６に形成されたネジ穴５７を利用してフレーム２にネジ止め固定される場合において、係止部を備えた上面カバー３２は、ネジ止め時の旋回負荷応力に抗することができるので、フレーム２への装着時の位置ズレを防止することができる。また、そうした突起は、上面カバー３２の位置決めを行う機能を有するものであってもよい。なお、上面カバー３２の平面部３６には、フレーム２に収容される部品等の関係により、必要に応じて１又は２以上の貫通部５８を設けてもよい。
【００３８】
また、上記の突起のうち、例えば図５の符号５３で表す突起においては、その突起３８の先端と平面部３６との間隔をフレーム２の厚さよりも小さくなるように折り曲げ成形することにより、その突起３８は弾性を持ってフレームに付勢するように作用し、上面カバー３２は、その突起３８と上面カバー３２の平面部３６とがフレーム２を挟持する態様で装着される。
【００３９】
下面カバー３１および上面カバー３２を形成するための材料としては、全体が板ばねとして機能する金属製の薄板、例えばＳＵＳ３０１やＳＵＳ３０４等からなる厚さ０．１〜０．３ｍｍ程度の薄板を用いることが望ましく、こうした薄板を所定形状に打ち抜き加工した後に曲げ加工して上記形状に成形される。こうした薄板を利用することにより、下面カバー３１および上面カバー３２を、その平面部３５，３６がフレーム２内方に付勢するように成形することができる。例えば、図３に示す態様で係合する下面カバー３１と上面カバー３２においては、両カバー３１，３２の側面部３３，３４から延びる平面部３５，３６を、フレーム外方に若干反らせるように成形することができる。こうした態様で成形されたカバーをフレームに装着することにより、その平面部３５，３６がフレーム内方に付勢し、フレーム内に収容された部品（ＦＰＣなどの浮いた部材も含む）をフレーム内にしっかりと拘束することができると共に部品の公差を吸収することができる。その結果、光ピックアップ装置全体としての厚さ等の寸法を許容内に拘束でき、小型化・薄型化に寄与できる。
【００４０】
本発明の第１態様に係る光ピックアップ装置においては、下面カバー３１と上面カバー３２とを係合してフレーム２に装着したので、図３に示すように、個々のカバーに対してネジ止めの数を１つにすることができ、２つのカバー３１，３２をフレームに固定するためのネジの数を２つにすることができる。ネジ止めの数をこのように少なくすることにより、より薄肉化・薄型化したフレーム２へのネジ止めに基づいた応力歪みの発生を少なくすることができるので、フレームのたわみや変形を抑制することができる。こうしたことは、特に寸法精度が厳格な光ピックアップ装置において極めて有効である。
【００４１】
次に、本発明の光ピックアップ装置を構成するカバーの取付構造の他の態様について説明する。
【００４２】
図６は、本発明の光ピックアップ装置を構成する第２態様に係るカバーの取付構造を説明するための分解斜視図（ａ）と、カバーのフック機構の説明図（ｂ、ｃ）である。第２態様に係るカバーの取付構造は、対物レンズ駆動装置４を収容したフレーム２の上面、側面および下面を連続して覆うための２つのコ字状カバー６１，６２からなるものである。この態様のカバーにおいても、上述した第１態様のカバーと同様のフック機構を採用することができる。特に、第２態様のカバーにおいては、フック機構が両カバーの当接部に設けられ、左右から装着されたカバー６１，６２が係合される。そのフック機構については、例えば図６（ｂ）に示すように、両カバー６１，６２が重なる部分の一方のカバー６１に成形された凸部６０ａと他方のカバー６２に成形された凹部６０ｂとを係合する機構であってもよいし、例えば図６（ｃ）に示すように、両カバー６１，６２が重なる部分の一方のカバー６１に成形された係合突起６３１と他方のカバー６２に成形された係合穴６４１とを係合する機構であってもよい。
【００４３】
なお、第２態様のカバー取付構造においては、カバーの上側平面部６３，６４と下側平面部６５，６６との間隔が、側面部６７，６８から先端部６９，７０に行くにしたがって狭まるように成形することにより、上側平面部６３，６４および下側平面部６５，６６がフレーム内方に付勢し、フレーム内に収容された部品をフレーム内にしっかりと拘束することができると共に部品の公差を吸収することができる。
【００４４】
図７は、本発明の光ピックアップ装置を構成する第３態様に係るカバーの取付構造を説明するための分解斜視図であり、図８は、図７に示したカバー７１の形状説明図である。
【００４５】
第３態様に係るカバーの取付構造としては、対物レンズ駆動装置４の一方の面を覆うカバー、例えば上述した上面カバー３２と、その上面カバー３２と同一面に設けられて光学要素３を覆うカバー７１とを係合してなるものを挙げることができる。
【００４６】
この態様においては、上面カバー３２と光学要素３を覆うカバー７１とを、上述した第１態様において説明したのと同様のフック機構で係合させたものであってもよいし、図７および図８に示すように、光学要素３を覆うカバー７１における上面カバー３２側の先端を、カバー７１の平面部７２からフレーム内方側に直角に折り曲げ、さらにその折り曲げ面からカバー外方に延びるように直角に折り曲げてなる係止部７３，７４で係合させたものであってもよい。
【００４７】
係止部７３，７４は、図９に示すように、上面カバー３２の平面部３６の端部９１とフレーム２との間に挿入されて、カバー７１の一端が係合される。なお、カバー７１の他の側には、ネジ止めによりフレーム２に固定するためのネジ穴７５が１つ設けられており、カバー７１は、僅か１つのネジ穴７５を介してフレーム２にネジ止め固定される（図７を参照。符号７０はネジ。）。なお、このカバー７１は、光学要素３の構成により、必要に応じた開口部または貫通穴を設けることができ、また、その光学要素３の構成に応じた突起状の覆い７６を設けることができる。こうしたカバー７１の材質および加工方法、さらには、カバーをフレームに装着する際の旋回防止用の係止部の形成および位置決め用突起部の形成は、上述した第１態様と同様である。また、カバー７１の任意の外周端部から下側に延びさらに内方に折り曲げられてなる係止部７７を形成することもできる。この係止部７７は、カバー７１を他の固定部材に係合するために設けられ、カバー７１の装着をより安全に固定するのに有効となる。
【００４８】
【発明の効果】
以上説明したように、本発明の光ピックアップ装置によれば、ネジ止め部位や掛止部位を極力少なくしたフレーム構造であっても、相互に係合させた２つ以上のカバーにより、フレームに収容される部材を覆い、さらにその部材をフレーム内に拘束することができる。その結果、フレーム構造をより小さく、より薄くすることができ、光ピックアップ装置の小型化と薄型化を達成することができる。本発明は、特にカバーが複数設けられる場合において好ましく、ネジ止め部位や掛止部位を少なくして光ピックアップ装置の小型化と薄型化を達成することができる。本発明の光ピックアップ装置は、カバーを取り付ける際のネジ止め数が少ないので、より薄肉化・薄型化したフレームへのネジ止めに基づいた応力歪みの発生を少なくすることができる。こうした応力歪みの減少は、フレームのたわみや変形を抑制するので、特に寸法精度が厳格な光ピックアップ装置においては光軸が狂う（ずれること。）という問題も防ぐことができ、極めて有効である。
【００４９】
また、本発明の光ピックアップ装置によれば、弾性変形、即ちバネ性を有するカバーを装着することにより、フレームに収容されたＦＰＣ等の部材をフレーム内にしっかりと拘束し、部材の浮きの発生を防止することができる。こうしたカバーを用いることにより、光ピックアップ装置のコストの削減およびその製造工程の簡略化を達成できる。
【図面の簡単な説明】
【図１】本発明の光ピックアップ装置の光学系を示す概略構成図である。
【図２】本発明の光ピックアップ装置の外観を示す斜視図である。
【図３】本発明の光ピックアップ装置を構成する第１態様に係るカバーの取付構造を説明するための分解斜視図である。
【図４】図３のカバーの取付構造における下面カバーの形状説明図およびフック機構の拡大図である。
【図５】図３のカバーの取付構造における上面カバーの形状説明図およびフック機構の拡大図である。
【図６】本発明の光ピックアップ装置を構成する第２態様に係るカバーの取付構造を説明するための分解斜視図およびカバーのフック機構の説明図である。
【図７】本発明の光ピックアップ装置を構成する第３態様に係るカバーの取付構造を説明するための分解斜視図である。
【図８】図７に示したカバーの形状説明図である。
【図９】図７に示したカバーの係合態様の説明図である。
【符号の説明】
１  光ピックアップ装置
２  フレーム
３  光学要素
４  対物レンズ駆動装置
５  光記録ディスク
６  フレキシブルプリント基板
７  対物レンズ
１１  主軸ガイド穴
１２  副軸ガイド溝
１３  上面部分
１４  下面部分
１５  外周壁部分
１６  レーザーダイオード
１７  ビームスプリッター
１８  レンズ
１９  反射ミラー
２８、２９、７０  ネジ
３１  下面カバー
３２  上面カバー
３３、３４  側面部
３５、３６、７２  平面部
３７  長穴
３８、３９、４１、４２、５３、５４、５５、５６  突起
４３、５７、７５  ネジ穴
４４、５８  貫通部
５１、５２  切り込み
６１、６２  コ字状カバー
６３、６４  上側平面部
６５、６６  下側平面部
６７、６８  側面部
６９、７０  先端部
７１  カバー
７３、７４、７７  係止部
７６  覆い
【図１】
2005011396.tif 000003
【図２】
2005011396.tif 000004
【図３】
2005011396.tif 000005
【図４】
2005011396.tif 000006
【図５】
2005011396.tif 000007
【図６】
2005011396.tif 000008
【図７】
2005011396.tif 000009
【図８】
2005011396.tif 000010
【図９】
2005011396.tif 000011